(57)【要約】【課題】使用寿命を延長してケーブル配管を長期にわたって保護することができる保護カバーを提案する。【解決手段】横向きに施設され、その内側に1本または複数本のケーブルを収納するケーブル配管１につき、該ケーブル配管１を落下物から保護する保護カバーにおいて、該保護カバーを、前記ケーブル配管１の両側に配置される一対の側板２ａ、２ｂと、該側板２ａ、２ｂのそれぞれに幅方向の端部でつながり該側板２ａ、２ｂと協働してその内側にケーブル配管１の保護空間Ｍを形成する天板２ｃとで構成する。【選択図】図３
2016222375.tif 000002
【特許請求の範囲】
【請求項１】
横向きに施設され、その内側に１本または複数本のケーブルを収納するケーブル配管につき、該ケーブル配管を落下物から保護する保護カバーであって、
前記ケーブル配管の両側に配置される一対の側板と、該側板のそれぞれに幅方向の端部でつながり該側板と協働してその下側にケーブル配管の保護空間を形成する天板とを備えたことを特徴とするケーブル配管の保護カバー。
【請求項２】
前記天板は、前記ケーブル配管と平行に配置されたものであることを特徴とする請求項１に記載したケーブル配管の保護カバー。
【請求項３】
前記側板の上端部または前記天板の幅方向の端部につながり、該天板を底壁として上向きに開放された区画凹所を形成する一対の起立壁を有することを特徴とする請求項１または２に記載したケーブル配管の保護カバー。
【請求項４】
前記側板は、その外面壁に、該側板の外方に向けて倒れ込み、その倒れ込み姿勢を維持したまま一体連結する傾斜板を有することを特徴とする請求項１〜３のいずれか１に記載したケーブル配管の保護カバー。
【請求項５】
前記ケーブル配管は、原料払い出しローダーの連絡シュート内を通過するケーブル配管の水平部を構成するものであることを特徴とする請求項１〜４のいずれか１に記載したケーブル配管の保護カバー。
【発明の詳細な説明】
【技術分野】
【０００１】
本発明は、各種電気、電子機器等のケーブルを収納するケーブル配管、とくに横向きに施設されたケーブル配管を、落下物の衝突による摩耗、損傷から保護する保護カバーに関するものである。
【背景技術】
【０００２】
鉄鋼の製造分野では、原料ヤードに積み付けされた原料を、焼結工場やコークス工場あるいは高炉等へ原料を搬送するために、図９に示すような原料払い出しローダー（移動機）が使用されている。
【０００３】
かかる原料払い出しローダーは、原料ヤードに積み付けられた原料ｇを掻き取るバケットホイール７と、このバケットホイール７で掻き取った原料を搬送するブームコンベア８と、このブームコンベア８にて搬送された原料をその末端で落下させて、地上コンベア９に移し替える連絡シュート１０にて構成されたものである。
【０００４】
従来の原料払い出しローダーは、図１０に示すように、ケーブル配管（センターポスト）１１が連絡シュート１０（上部連絡シュート１０ａ、下部連絡シュート１０ｂ）内に配設されており、とくにケーブル配管１１の垂直部１１ａの末端につながる水平部（横向きのケーブル配管）１１ｂについては、ブームコンベア８から落下する原料の直撃を受けるのが避けられないことからその部分の摩耗、損傷が著しく、ケーブルの断線を引き起こすことが懸念された。
【０００５】
このため、従来は、山型断面形状をなす図１１に示すような保護カバー１２でケーブル配管１１の水平部１１ｂを保護するようにしていた。
【０００６】
しかしながら、従来の保護カバー１２は、それ自体が随時、原料ｇと衝突するものであって摩耗、損傷を受けることからその機能を維持するためには保護カバー１２の摩耗、損傷度合いに応じて比較的頻繁に取替え、補強を行わなければならない必要があるところ、連絡シュート１０内は暗所であり、しかも地上から５ｍ程度上方に位置しているため仮設足場の組み付けを行わなければ保護カバー１２の取替え、補修作業ができないうえ、保護カバー１２の取替え、補修作業中は、設備を停止せざるを得ない不具合を有している。
【０００７】
なお、落下物からの保護に関する先行技術としては、例えば、特許文献１〜４が参照されるものの、特許文献１、２は、高炉の炉頂に設けられた装入原料のバンカーの内壁の保護を図った高炉炉頂バンカーセルフライニング構造に係わるものであり、また、特許文献３は、コンベヤの乗継ぎ部や塊粒物の受入れ、払出し部等に使用されるシュートの底板や側板等の板体の摩耗の防止を図ったセルフライニング式シュートに係わるものであり、さらに特許文献４は、焼結鉱の粉化を低減することを目的としたクラッシャ下の焼結鉱排出装置に係わるものであり、ケーブル配管、それも水平部の保護に関連した先行文献としては、これまでに知られたものは存在していない。
【先行技術文献】
【特許文献】
【０００８】
【特許文献１】特開２０１４−２１８７２０号公報
【特許文献２】特開２０１１−１０６００１号公報
【特許文献３】特開昭５９−２６８０４号公報
【特許文献４】実開平２−３４９９５号公報
【発明の概要】
【発明が解決しようとする課題】
【０００９】
本発明の課題は、原料払い出しローダーの連絡シュート内に施設されるようなケーブル配管、とりわけ、横向きに施設させるケーブル配管を保護するにあたって、落下物による保護カバー自体の摩耗、損傷を回避しながらも該ケーブル配管を長期にわたって保護できる保護カバーを提案するところにある。
【課題を解決するための手段】
【００１０】
本発明は、横向きに施設され、その内側に１本または複数本のケーブルを収納するケーブル配管につき、該ケーブル配管を落下物から保護する保護カバーであって、前記ケーブル配管の両側に配置される一対の側板と、該側板のそれぞれに幅方向の端部がつながり該側板と協働してその下側にケーブル配管の保護空間を形成する天板とを備えたことを特徴とするケーブル配管の保護カバーである。
【００１１】
上記の構成からなる保護カバーにおいては、
１）前記天板は、前記ケーブル配管と平行に配置されたものであること、
２）前記側板の上端部または前記天板の幅方向の端部につながり、該天板を底壁として上向きに開放された区画凹所を形成する一対の起立壁を有すること、
３）前記側板は、その外面壁に、該側板の外方に向けて倒れ込み、その倒れ込み姿勢を維持したまま一体連結する傾斜板を有すること、
４）前記ケーブル配管は、原料払い出しローダーの連絡シュートを通過するケーブル配管の水平部を構成するものであること、
が課題解決のための具体的手段として好ましい。
【発明の効果】
【００１２】
上記の構成からなる本発明の保護カバーによれば、横向きに施設されたケーブル配管（水平部）は、一対の側板と天板によって形成された保護空間に位置することになり、原料が落下しても該ケーブル配管は、保護カバーによって確実に保護される。
【００１３】
保護カバーの天板については、原料が落下する初期の段階では、原料が天板に直接接触することになるが、天板の上には次第に原料が溜まることになるため、引き続いて落下してくる原料は、天板の上に溜まった原料の上を流れることになり、天板の摩耗、損傷は抑制される。
【００１４】
保護カバーの天板が水平に配置されている場合、落下した原料は、天板の上に留まりやすくなる。
【００１５】
側板の上端部にそれぞれ起立壁を設けるか、あるいは前記天板の幅方向の端部にそれぞれ起立壁を設け、該起立壁と該天板により、該天板を底壁として上向きに開放された区画凹所を形成することにより落下した原料を天板の上に確実に留めておくことができ、天板の摩耗、損傷抑制効果がより一層高まる。
【００１６】
また、側板の外面壁に、傾斜板を設けることにより、側板と傾斜板とによって区画された凹部（Ｖ字状凹部）にも落下した原料を留めておくことができるだけでなく、側板の外表面での、原料との接触が回避でき、その部位での摩耗、損傷を防ぐことが可能となる。
【００１７】
ケーブル配管が、原料払い出しローダーの連絡シュート内を通過するケーブル配管の水平部を構成するものである場合においては、保護カバーの取替えや補修の際に実施する必要がある仮設足場の組み付けや設備の停止頻度を激減させることができる。
【図面の簡単な説明】
【００１８】
【図１】本発明にしたがう保護カバーの実施の形態を模式的に示した図であり、（ａ）は、保護カバーの取付け前の状態を示した図、（ｂ）は、保護カバーの取付け状態を示した図である。
【図２】図１に示した保護カバーの正面を示した図（断面図）である。
【図３】図１に示した保護カバーの使用状態を示した図である。
【図４】本発明にしたがう保護カバーの他の実施の形態を模式的に示した図である。
【図５】本発明にしたがう保護カバーのその他の実施の形態を模式的に示した図である。
【図６】図５に示した保護カバーの使用状態を示した図である。
【図７】保護カバーの周り止め構造を示した図である。
【図８】本発明にしたがう保護カバーのさらに他の実施の形態を模式的に示した図である。
【図９】原料払い出しローダーの構成を示した図である。
【図１０】原料払い出しローダーの要部の断面を示した図である。
【図１１】従来の保護カバーの構造を示した図である。
【発明を実施するための形態】
【００１９】
以下、図面を用いて本発明をより具体的に説明する。
図１（ａ）（ｂ）は、本発明にしたがう保護カバーを、横向きに施設されたケーブル配管に適用した外観斜視図であり、（ａ）は、保護カバーの装着前の状態を示した図であり、（ｂ）は、保護カバーを装着した状態を示した図である。また、図２は、図１（ａ）（ｂ）に示した保護カバーの正面を示した図である。
【００２０】
図１、２における符号１は、ケーブルを収納するケーブル配管である。このケーブル配管１は、垂直部１ａと、この垂直部１ａの末端部にエルボ１ｂを介してつながる水平部１ｃからなっている。また、２は、ケーブル管１を保護する保護カバーである。保護カバー２は、ケーブル配管１のうちの水平部１ｂの両側に配置される一対の側板（起立配置とした板状体からなるもの）２ａ、２ｂと、該側板２ａ、２ｂのそれぞれに幅方向の端部でつながり該側板２ａ、２ｂと協働してその下側にケーブル配管１の保護空間Ｍを形成する天板２ｃから構成されている。
【００２１】
図３は、連絡シュートの上部から落下した原料が保護カバー２の天板２ｃの上に溜まった状態を示した図である。落下した原料が保護カバー２の天板２ｃの上に溜まった状態にある場合には、引き続いて落下してくる原料は、保護カバー２の天板２ｃに溜まった原料の上部を流れて落下していくことになり、天板２ｃの摩耗がそれ以上進行することはない。
【００２２】
図４は、本発明にしたがう保護カバーの他の例（Ｈ型断面タイプ）を示した図である。この例は、側板２ａ、２ｂの上端部に一体連結し該天板２ｃを底壁として上向きに開放された区画凹所Ｍ′を形成する一対の起立壁３ａ、３ｂを設けたものである。
【００２３】
かかる構造の保護カバー２によれば、落下した原料の所定量が区画凹所Ｍ′に確実に貯留することになるため、引き続いて落下してくる原料が天板２ｃに直撃することはなく、天板２ｃの摩耗、損傷が確実に抑制される。
【００２４】
さらに、図５は、本発明にしたがう保護カバーのさらに他の例（Ｙ型断面タイプ）を示した図である。この保護カバー２は、側板２ａ、２ｂの外方に向けて倒れ込み、その倒れ込み姿勢を維持したまま該側板２ａ、２ｂに一体連結する傾斜板４ａ、４ｂを設けたものである。
【００２５】
かかる構造の保護カバー２においては、図６に示すように、側板２ａ、２ｂの直近に空隙Ｎが形成されるため、落下する原料が側板２ａ、２ｂの外面壁で接触することがなく、側板２ａ、２ｂの外面壁での摩耗、損傷を抑制することが可能となり、保護カバーの使用寿命をより一層延長できる利点がある。
【００２６】
傾斜板４ａ、４ｂの角度θ（図５参照）は、落下する原料を貯留できる凹所を形成することができ、かつ、原料の、側板２ａ、２ｂへの接触を確実に回避する観点から２５〜３５°の範囲に設定するのが好ましい。なお、傾斜板４ａ、４ｂの強度を確保するため、傾斜板４ａと起立壁３ａとの間、傾斜板４ｂと起立壁３ｂとの間には、それらを所定間隔でもって相互に連結可能な複数枚のリブ（縦リブ）４ｃを設けておくことができる（図８参照）。
【００２７】
また、本発明にしたがう保護カバー２は、ケーブル配管１に保護カバー２を被せる際にその設置姿勢の安定化を図るため、天板２ｃの裏面に、ケーブル配管１の外表面と同等の曲率を有する凹状の座部５を設けておくことができる。さらに、保護カバー２の設置姿勢の安定化を図るため、回り止め用のストッパーを設けてもよい。
【００２８】
図７は、ケーブル配管１の外表面に、座部５を両側に挟み込む凸部６を設け、この凸部６をストッパーとして機能させたものである。凸部６の相互間に座部５を位置せしめ、保護カバー２をケーブル配管１に被せることにより、保護カバー２の設置姿勢が安定化する。
【００２９】
保護カバー２は、例えば、厚さ１５〜２０ｍｍの一般構造用圧延鋼材（ＳＳ材）等を用いて構成することができるが、この点についてはとくに限定されることはない。
【００３０】
上掲図１（ａ）（ｂ）の保護カバー２としては、その他、天板２ｃの後端部に切欠き部２ｃ１を設け、この切欠き部２ｃ１にケーブル配管１のエルボ１ｂの胴体部分を差し入れるとともに、天板２ｃの端面および側板２ａ、２ａの端面に背面板２ｄを連結することとしたが、このような構造を採用すると保護カバー２の設置姿勢がより安定化するとともにケーブル配管１の垂直部１ａと水平部１ｃの連結部をも保護することができる。
【００３１】
図８に、ケーブル配管１の垂直部１ａと水平部１ｃの連結部の保護をも図ることを可能とした他の保護カバーの例を示す。
【実施例】
【００３２】
図５に示した保護カバー（厚さ１６ｍｍのＳＳ材にて構成されたもの）と、図１１に示した保護カバー（厚さ１６ｍｍのＳＳ材にて構成されたもの）をそれぞれ原料払い出しローダーの連絡シュートを通過するケーブル配管の水平部に適用し、同一条件で原料を落下させた場合の耐久性について調査を行った。
【００３３】
その結果、図１１に示した保護カバーは、２年程度で寿命末期に到達したのに対して、図５に示した保護カバーでは、５年以上使用可能であることが確認された。
【産業上の利用可能性】
【００３４】
本発明によれば、使用寿命が延長され、ケーブル配管を長期にわたって保護し得る保護カバーが提供できる。
【符号の説明】
【００３５】
１      ケーブル配管
１ａ    垂直部
１ｂ    エルボ部
１ｃ    水平部
２ａ、２ｂ    側板
２ｃ    天板
２ｄ    背面板
３ａ、３ｂ    起立壁
４ａ、４ｂ    傾斜板
４ｃ    リブ
５      座部
６      凸部
７      バケットホイール
８      ブームコンベア
９      地上コンベア
１０    連絡シュート
１０ａ  上部連絡シュート
１０ｂ  下部連絡シュート
１１    ケーブル配管
１１ａ  垂直部
１１ｂ  水平部
１２    保護カバー
Ｍ      保護空間
Ｍ′    区画凹所
Ｎ      空隙
ｇ      原料
【図１】
2016222375.tif 000003
【図２】
2016222375.tif 000004
【図３】
2016222375.tif 000005
【図４】
2016222375.tif 000006
【図５】
2016222375.tif 000007
【図６】
2016222375.tif 000008
【図７】
2016222375.tif 000009
【図８】
2016222375.tif 000010
【図９】
2016222375.tif 000011
【図１０】
2016222375.tif 000012
【図１１】
2016222375.tif 000013